(57)【特許請求の範囲】
【請求項１】
光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベースと、
光ケーブルを指定する情報の入力を受ける光ケーブル指定入力部と、
前記指定された光ケーブルへの新たな中継設備の割り入れ要求の入力を受ける割り入れ要求入力部と、
前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぐ中継設備割り入れ処理部と、
光ケーブル網を構成する光ケーブル及び中継設備の接続関係を所定地域毎に示す各系統図のそれぞれについて、系統図を特定する情報と、当該系統図の対象地域の境界を越えて敷設される光ケーブルを特定する情報と、前記光ケーブルの一方の端部が取り込まれる当該系統図の対象地域内の中継設備を特定する情報と、前記光ケーブルの他方の端部が取り込まれる当該系統図の対象地域外の中継設備を特定する情報と、前記対象地域外の中継設備が設置される地域の系統図を特定する情報と、を対応付けて記憶する系統図管理データベースと、
前記新たな中継設備を設置する地域の系統図を指定する情報の入力を受ける系統図指定入力部と、
前記指定された光ケーブルが前記指定された系統図の対象地域の境界を越えて敷設される光ケーブルである場合には、前記系統図管理データベースにおいて前記指定された系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの一方の端部が取り込まれる当該系統図の対象地域内の中継設備を特定する前記情報を、前記新たな中継設備を特定する情報に書き換え、前記系統図管理データベースにおいて前記第１の光ケーブルの他方の端部が取り込まれる中継設備が設置される地域の系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの前記他方の端部が取り込まれる当該系統図の対象地域外の中継設備を特定する前記情報を、前記新たな中継設備を特定する情報に書き換える系統図管理データベース更新部と、
を備えることを特徴とする情報処理装置。
【請求項２】
光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベースと、
光ケーブルを指定する情報の入力を受ける光ケーブル指定入力部と、
前記指定された光ケーブルへの新たな中継設備の割り入れ要求の入力を受ける割り入れ要求入力部と、
前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぐ中継設備割り入れ処理部と、
中継設備毎に、中継設備を特定する情報と、中継設備に取り込まれる光ケーブルの本数を示す情報と、中継設備に取り込まれる各光ケーブルの各心線を特定する情報と、前記各心線とそれぞれ接続される相手方の各心線を特定する情報と、を対応付けて記憶する心線接続属性管理データベースと、
中継設備を指定する情報の入力を受ける中継設備指定入力部と、
前記指定された中継設備の削除要求の入力を受ける削除要求入力部と、
前記指定された中継設備に取り込まれる光ケーブルの数が２本であり、かつ、それらの光ケーブルに含まれる全ての心線が１対１に接続されている場合にのみ、前記光ケーブル管理データベースに、前記指定された中継設備に取り込まれる前記２本の光ケーブルの端部同士を接続してなる光ケーブルを特定する情報と、前記２本の光ケーブルの各両端部が取り込まれる３つの中継設備のうち、前記指定された中継設備ではない２つの中継設備をそれぞれ特定する情報と、を対応付けて記憶する中継設備削除処理部と、
を備えることを特徴とする情報処理装置。
【請求項３】
光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベース、及び、光ケーブル網を構成する光ケーブル及び中継設備の接続関係を所定地域毎に示す各系統図のそれぞれについて、系統図を特定する情報と、当該系統図の対象地域の境界を越えて敷設される光ケーブルを特定する情報と、前記光ケーブルの一方の端部が取り込まれる当該系統図の対象地域内の中継設備を特定する情報と、前記光ケーブルの他方の端部が取り込まれる当該系統図の対象地域外の中継設備を特定する情報と、前記対象地域外の中継設備が設置される地域の系統図を特定する情報と、を対応付けて記憶する系統図管理データベースを備える情報処理装置の制御方法であって、
前記情報処理装置が、光ケーブルを指定する情報の入力を受け、
前記情報処理装置が、前記指定された光ケーブルへの新たな中継設備の割り入れ要求の入力を受け、
前記情報処理装置が、前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぎ、
前記情報処理装置が、前記新たな中継設備を設置する地域の系統図を指定する情報の入力を受け、
前記指定された光ケーブルが前記指定された系統図の対象地域の境界を越えて敷設される光ケーブルである場合には、前記情報処理装置が、前記系統図管理データベースにおいて前記指定された系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの一方の端部が取り込まれる当該系統図の対象地域内の中継設備を特定する前記情報を、前記新たな中継設備を特定する情報に書き換え、前記系統図管理データベースにおいて前記第１の光ケーブルの他方の端部が取り込まれる中継設備が設置される地域の系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの前記他方の端部が取り込まれる当該系統図の対象地域外の中継設備を特定する前記情報を、前記新たな中継設備を特定する情報に書き換える、
ことを特徴とする情報処理装置の制御方法。
【請求項４】
光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベース、及び、中継設備毎に、中継設備を特定する情報と、中継設備に取り込まれる光ケーブルの本数を示す情報と、中継設備に取り込まれる各光ケーブルの各心線を特定する情報と、前記各心線とそれぞれ接続される相手方の各心線を特定する情報と、を対応付けて記憶する心線接続属性管理データベースを備える情報処理装置の制御方法であって、
前記情報処理装置が、光ケーブルを指定する情報の入力を受け、
前記情報処理装置が、前記指定された光ケーブルへの新たな中継設備の割り入れ要求の入力を受け、
前記情報処理装置が、前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぎ、
前記情報処理装置が、中継設備を指定する情報の入力を受け、
前記情報処理装置が、前記指定された中継設備の削除要求の入力を受け、
前記指定された中継設備に取り込まれる光ケーブルの数が２本であり、かつ、それらの光ケーブルに含まれる全ての心線が１対１に接続されている場合にのみ、前記情報処理装置が、前記光ケーブル管理データベースに、前記指定された中継設備に取り込まれる前記２本の光ケーブルの端部同士を接続してなる光ケーブルを特定する情報と、前記２本の光ケーブルの各両端部が取り込まれる３つの中継設備のうち、前記指定された中継設備ではない２つの中継設備をそれぞれ特定する情報と、を対応付けて記憶する、
ことを特徴とする情報処理装置の制御方法。
【請求項５】
光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベース、及び、光ケーブル網を構成する光ケーブル及び中継設備の接続関係を所定地域毎に示す各系統図のそれぞれについて、系統図を特定する情報と、当該系統図の対象地域の境界を越えて敷設される光ケーブルを特定する情報と、前記光ケーブルの一方の端部が取り込まれる当該系統図の対象地域内の中継設備を特定する情報と、前記光ケーブルの他方の端部が取り込まれる当該系統図の対象地域外の中継設備を特定する情報と、前記対象地域外の中継設備が設置される地域の系統図を特定する情報と、を対応付けて記憶する系統図管理データベースを備える情報処理装置に、
光ケーブルを指定する情報の入力を受ける手順と、
前記指定された光ケーブルへの新たな中継設備の割り入れ要求の入力を受ける手順と、
前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぐ手順と、
前記新たな中継設備を設置する地域の系統図を指定する情報の入力を受ける手順と、
前記指定された光ケーブルが前記指定された系統図の対象地域の境界を越えて敷設される光ケーブルである場合に、前記系統図管理データベースにおいて前記指定された系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの一方の端部が取り込まれる当該系統図の対象地域内の中継設備を特定する前記情報を、前記新たな中継設備を特定する情報に書き換え、前記系統図管理データベースにおいて前記第１の光ケーブルの他方の端部が取り込まれる中継設備が設置される地域の系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの前記他方の端部が取り込まれる当該系統図の対象地域外の中継設備を特定する前記情報を、前記新たな中継設備を特定する情報に書き換える手順と、
を実行させるためのプログラム。
【請求項６】
光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベース、及び、中継設備毎に、中継設備を特定する情報と、中継設備に取り込まれる光ケーブルの本数を示す情報と、中継設備に取り込まれる各光ケーブルの各心線を特定する情報と、前記各心線とそれぞれ接続される相手方の各心線を特定する情報と、を対応付けて記憶する心線接続属性管理データベースを備える情報処理装置に、
光ケーブルを指定する情報の入力を受ける手順と、
前記指定された光ケーブルへの新たな中継設備の割り入れ要求の入力を受ける手順と、
前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぐ手順と、
中継設備を指定する情報の入力を受ける手順と、
前記指定された中継設備の削除要求の入力を受ける手順と、
前記指定された中継設備に取り込まれる光ケーブルの数が２本であり、かつ、それらの光ケーブルに含まれる全ての心線が１対１に接続されている場合にのみ、前記光ケーブル管理データベースに、前記指定された中継設備に取り込まれる前記２本の光ケーブルの端部同士を接続してなる光ケーブルを特定する情報と、前記２本の光ケーブルの各両端部が取り込まれる３つの中継設備のうち、前記指定された中継設備ではない２つの中継設備をそれぞれ特定する情報と、を対応付けて記憶する手順と、
を実行させるためのプログラム。
【発明の詳細な説明】
【技術分野】
【０００１】
本発明は、光ケーブル網の管理を支援する情報処理装置、情報処理装置の制御方法およびプログラムに関する。
【背景技術】
【０００２】
近年、情報技術の進歩と共にコンピュータ間で授受されるデータ量が増加し、より高速な通信回線を求める需要者が増加している。それに伴い、光ケーブル網の構築が急速に進められている。  
またこのような光ケーブル網を管理するための様々な技術も開発されている（例えば特許文献１参照）。
【特許文献１】特開２００３−２３３６２９号公報
【発明の開示】
【発明が解決しようとする課題】
【０００３】
光ケーブル網は、多数の光ケーブルが広範囲な地域にわたって複雑に接続されて構成される。  
このような光ケーブル網の管理は、正確かつ確実に行われなければならないが、近年光ケーブル網の利用者が急増し、また光ケーブルの敷設も急速に進められている。  
このため、光ケーブル網の維持管理の負担が増大しており、作業負担を軽減する技術が求められている。
【０００４】
本発明は、上記課題を鑑みてなされたものであり、光ケーブル網の維持管理を迅速かつ正確に行い、作業負担を軽減する情報処理装置、情報処理装置の制御方法およびプログラムを提供することを主たる目的とする。
【課題を解決するための手段】
【０００５】
上記課題を解決するために、本発明は、光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベースと、光ケーブルを指定する情報の入力を受ける光ケーブル指定入力部と、前記指定された光ケーブルへの新たな中継設備の割り入れ要求の入力を受ける割り入れ要求入力部と、前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぐ中継設備割り入れ処理部と、光ケーブル網を構成する光ケーブル及び中継設備の接続関係を所定地域毎に示す各系統図のそれぞれについて、系統図を特定する情報と、当該系統図の対象地域の境界を越えて敷設される光ケーブルを特定する情報と、前記光ケーブルの一方の端部が取り込まれる当該系統図の対象地域内の中継設備を特定する情報と、前記光ケーブルの他方の端部が取り込まれる当該系統図の対象地域外の中継設備を特定する情報と、前記対象地域外の中継設備が設置される地域の系統図を特定する情報と、を対応付けて記憶する系統図管理データベースと、前記新たな中継設備を設置する地域の系統図を指定する情報の入力を受ける系統図指定入力部と、前記指定された光ケーブルが前記指定された系統図の対象地域の境界を越えて敷設される光ケーブルである場合には、前記系統図管理データベースにおいて前記指定された系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの一方の端部が取り込まれる当該系統図の対象地域内の中継設備を特定する前記情報を、前記新たな中継設備を特定する情報に書き換え、前記系統図管理データベースにおいて前記第１の光ケーブルの他方の端部が取り込まれる中継設備が設置される地域の系統図を特定する情報と対応付けて記憶される、当該系統図の対象地域の境界を越えて敷設される光ケーブルを特定する前記情報を、前記第１の光ケーブルを特定する情報に書き換えると共に、前記第１の光ケーブルの前記他方の端部が取り込まれる当該系統図の対象地域外の中継設備を特定する前記情報を、前記新たな中継設備を特定する情報に書き換える系統図管理データベース更新部と、
を備えることを特徴とする情報処理装置に関する。
このような態様により、光ケーブルに新たに中継設備を割り入れる際の設定作業の負担を軽減することが可能となる。また設定ミスを無くし、光ケーブル網を正確に維持管理することが可能となる。さらに、系統図を跨る光ケーブルに中継設備を割り入れる際には、系統図管理データベースが自動的に更新されるため、光ケーブルの設定作業の負担をより一層軽減することが可能となる。
【０００６】
上記課題を解決するために、本発明は、光ケーブル網を構成する光ケーブル毎に、光ケーブルを特定する情報と、光ケーブルの両端部が取り込まれる中継設備をそれぞれ特定する情報と、を対応付けて記憶する光ケーブル管理データベースと、光ケーブルを指定する情報の入力を受ける光ケーブル指定入力部と、前記指定された光ケーブルへの新たな中継設備の割り入れ要求の入力を受ける割り入れ要求入力部と、前記光ケーブル管理データベースに、前記指定された光ケーブルを分割してなる第１の光ケーブル及び第２の光ケーブルのうちの前記第１の光ケーブルについて、前記第１の光ケーブルを特定する情報と、前記指定された光ケーブルの一方の端部が取り込まれていた中継設備を特定する情報と、前記新たな中継設備を特定する情報と、を対応付けて記憶すると共に、前記第２の光ケーブルについて、前記第２の光ケーブルを特定する情報と、前記指定された光ケーブルの他方の端部が取り込まれていた中継設備を特定する情報と、前記新たな中継設備を特定する情報と、を対応付けて記憶し、その際に、前記指定された光ケーブルにおける属性情報を、前記第１の光ケーブル及び前記第２の光ケーブルの属性情報として引き継ぐ中継設備割り入れ処理部と、中継設備毎に、中継設備を特定する情報と、中継設備に取り込まれる光ケーブルの本数を示す情報と、中継設備に取り込まれる各光ケーブルの各心線を特定する情報と、前記各心線とそれぞれ接続される相手方の各心線を特定する情報と、を対応付けて記憶する心線接続属性管理データベースと、中継設備を指定する情報の入力を受ける中継設備指定入力部と、前記指定された中継設備の削除要求の入力を受ける削除要求入力部と、前記指定された中継設備に取り込まれる光ケーブルの数が２本であり、かつ、それらの光ケーブルに含まれる全ての心線が１対１に接続されている場合にのみ、前記光ケーブル管理データベースに、前記指定された中継設備に取り込まれる前記２本の光ケーブルの端部同士を接続してなる光ケーブルを特定する情報と、前記２本の光ケーブルの各両端部が取り込まれる３つの中継設備のうち、前記指定された中継設備ではない２つの中継設備をそれぞれ特定する情報と、を対応付けて記憶する中継設備削除処理部と、を備えることを特徴とする情報処理装置に関する。
このような態様により、光ケーブルに新たに中継設備を割り入れる際の設定作業の負担を軽減することが可能となる。また設定ミスを無くし、光ケーブル網を正確に維持管理することが可能となる。さらに、中継設備を削除する場合には、その中継設備に取り込まれる２本の光ケーブルを１つに結合するように自動的に設定されるため、光ケーブルの設定作業の負担を軽減することが可能となる。
【０００９】
その他、本願が開示する課題、及びその解決方法は、発明を実施するための最良の形態の欄、及び図面により明らかにされる。
【発明の効果】
【００１０】
光ケーブル網の維持管理を迅速かつ正確に行い、作業負担を軽減することができる。
【発明を実施するための最良の形態】
【００１１】
＝＝＝全体構成例＝＝＝
本実施の形態にかかる光ケーブル心線管理サーバ２００を含む光ケーブル心線管理システム９００の全体構成を図１に示す。なお光ケーブル心線管理サーバ２００は、特許請求の範囲に記載の情報処理装置に相当する。
【００１２】
＜光ケーブル心線管理システム＞
光ケーブル心線管理システム９００は、光ケーブル心線管理サーバ２００に、利用者端末１００がネットワーク５００を介して通信可能に接続されてなる。
【００１３】
光ケーブル心線管理システム９００は、光ケーブル網における各光ケーブルが、クロージャ等の中継設備で接続されている様子を示す系統図をベースにした心線設計・管理用のシステムである。光ケーブル心線管理システム９００においては、局、クロージャ、ドロップクロージャ、建物、ＣＴＦ／ＩＤＦ（Cable Terminating Frame／Intermediate Distribution Frame）、お客様の各情報と、これらを結ぶ光ケーブルの設備状況と運用状況、クロージャ、ＣＴＦ／ＩＤＦ内の心線接続状況及びその運用状況、心線に重畳する回線及びその運用状況を管理することができる。
【００１４】
また光ケーブル心線管理システム９００は、次のような特徴がある。まず系統図全体のつながりを把握しながら複数ルートの検索結果から最適ルートを選択できる。また設備や心線接続の計画管理機能、及び心線に重畳する回線の予約管理機能を有する。さらにＦＴＴＨ（Fiber To The Home）の迅速な設計をおこなうため、通信速度などにおけるレスポンス低下の影響を受けないように配慮されている。またマルチウインドウ環境により、画面上に複数の系統図や各種帳票を開きながら心線や回線の属性編集ができる。またダウンロード機能により、系統図や単線結線図などの図面やデータベース一覧をダウンロードでき、工事仕様書への添付資料などとして利用できる。またアップロード機能により、ケーブル区間毎の所有心線数の更新管理を効率的に行える。
【００１５】
＜光ケーブル心線管理サーバ＞
光ケーブル心線管理サーバ２００は、光ケーブル網の管理を支援するためのコンピュータである。  
光ケーブル網は、複数の光ケーブル内の心線同士を相互に接続して構成される。各光ケーブルには、通常、数十本から数千本もの心線が含まれる。光ケーブルの中には、各心線を所定数ごとにテープ等で束ねて心線束を構成するようにしたものもある。  
また各光ケーブルは、通常数百メートルから数千メートルの長さを有する。そしてクロージャやＣＴＦ／ＩＤＦ等の中継設備に取り込まれる。中継設備に取り込まれた光ケーブルは、他の光ケーブルと接続される場合もあるし、その中継設備を通過する場合もある。
【００１６】
顧客から光通信回線の利用申込があると、光ケーブル網の心線に、顧客用の回線を割り当てる。これにより、顧客はその心線を用いて光通信を行うことができるようになる。回線を設定可能な心線がない場合には、光ケーブルを新たに敷設することが必要になる。設定可能な心線がない場合とは、例えば全ての心線がすでに他の顧客用の回線に割当済みであり、空き心線がない場合や、そもそも光ケーブルの敷設がなされていない場合などである。  
今日の光通信の急速な普及に伴い、光ケーブルの敷設工事や中継設備の設置工事が急ピッチで進められており、それにあわせて光ケーブル網を管理するための各種データも更新してゆく必要がある。
【００１７】
本実施の形態に係る光ケーブル心線管理サーバ２００は、後述する仕組みにより、光ケーブル網を管理するための各種データの更新作業を自動で行う。このため光ケーブル網の維持管理作業の負担を軽減することが可能となる。また光ケーブル網の管理を正確に行うことが可能となる。
【００１８】
＜利用者端末＞
利用者端末１００は、光ケーブル心線管理サーバ２００と通信可能に接続され、上記回線割当作業等の光ケーブル網の管理を行う際に用いられるコンピュータである。なお、光ケーブル網の管理は、利用者端末１００を用いずに行うことも可能である。この場合は、利用者端末１００は無くてもよい。
【００１９】
＝＝＝光ケーブル心線管理サーバ、利用者端末の構成＝＝＝
次に、光ケーブル心線管理サーバ２００、利用者端末１００の構成について説明する。光ケーブル心線管理サーバ２００、利用者端末１００はいずれもコンピュータであり、ハードウェア構成は基本的に同様である。そのため、これらのハードウェア構成をひとつのブロック図にまとめて図２に示す。
【００２０】
＜光ケーブル心線管理サーバ＞
光ケーブル心線管理サーバ２００は、ＣＰＵ（Central Processing Unit）２１０、メモリ２２０、ポート２３０、記録媒体読取装置２４０、入力装置２５０、出力装置２６０、記憶装置２８０を備えたコンピュータである。
【００２１】
ＣＰＵ２１０は光ケーブル心線管理サーバ２００の全体の制御を司るもので、記憶装置２８０に記憶される本実施の形態に係る各種の動作を行うためのコードから構成される光ケーブル心線管理サーバ制御プログラム（特許請求の範囲に記載のプログラムに相当する）７１０をメモリ２２０に読み出して実行することにより、光ケーブル心線管理サーバ２００としての各種機能を実現する。
【００２２】
例えばＣＰＵ２１０により光ケーブル心線管理サーバ制御プログラム７１０が実行され、メモリ２２０やポート２３０、入力装置２５０、出力装置２６０、記憶装置２８０等のハードウェア機器と協働することにより、特許請求の範囲に記載の光ケーブル管理データベース、光ケーブル指定入力部、割り入れ要求入力部、中継設備割り入れ処理部、心線接続属性管理データベース、心線接続属性管理データベース更新部、系統図管理データベース、系統図指定入力部、系統図管理データベース更新部、中継設備指定入力部、削除要求入力部、中継設備削除処理部が実現される。メモリ２２０は例えば半導体記憶装置により構成することができる。
【００２３】
記録媒体読取装置２４０は、フレキシブルディスクや磁気テープ、コンパクトディスク等の記録媒体４００に記録されているプログラムやデータを読み取るための装置である。読み取られたプログラムやデータはメモリ２２０や記憶装置２８０に格納される。従って、例えば記録媒体４００に記録された光ケーブル心線管理サーバ制御プログラム７１０を、記録媒体読取装置２４０を用いて上記記録媒体４００から読み取って、メモリ２２０や記憶装置２８０に記憶するようにすることができる。記録媒体読取装置２４０は光ケーブル心線管理サーバ２００に内蔵されている形態とすることもできるし、外付されている形態とすることもできる。
【００２４】
記憶装置２８０は、例えばハードディスク装置や半導体記憶装置等とすることができる。記憶装置２８０には、図３に示すように、光ケーブル心線管理サーバ制御プログラム７１０やクロージャ管理データベース６００、局管理データベース６１０、お客様管理データベース６２０、建物管理データベース６３０、ＣＴＦ／ＩＤＦ管理データベース６４０、ケーブル管理データベース６５０、心線管理データベース６６０、心線接続属性管理データベース６７０、系統図管理データベース６８０、回線管理データベース６９０が記憶される。このうち、ケーブル管理データベース６５０は、特許請求の範囲に記載の光ケーブル管理データベースに相当する。
【００２５】
クロージャ管理データベース６００はクロージャを管理するためのデータベースである。クロージャは、光ケーブル網において各光ケーブルを取り込む中継設備の一つである。クロージャ管理データベース６００を図５に示す。クロージャ管理データベース６００の”クロージャ種別”欄には、クロージャの種類を示す情報が記載される。クロージャの種類としては「クロージャ」や「ドロップクロージャ」がある。”クロージャ名称”欄には、クロージャを特定する情報が記載される。”接続情報（ケーブル名称）”欄には、各クロージャに取り込まれる光ケーブルを特定する情報として光ケーブルの名称が記載される。また”接続情報（区間名称）”欄には、当該光ケーブルの両端部が取り込まれる中継設備を特定する情報が記載される。”運用状況”欄には、当該クロージャの運用状況が記載される。
【００２６】
局管理データベース６１０は、局を管理するためのデータベースである。局管理データベース６１０を図６に示す。局管理データベース６１０の”局名称”欄には、局を特定する情報として局の名称が記載される。”建物名称”欄には、局の所在地を示す建物の名称が記載される。
【００２７】
お客様管理データベース６２０は、光ケーブル網を利用するお客様を管理するためのデータベースである。お客様管理データベース６２０を図７に示す。”お客様名称”欄にはお客様を特定する情報としてお客様の名称が記載される。”建物名称”欄には、お客様の所在地を示す建物の名称が記載される。
【００２８】
建物管理データベース６３０は、局やお客様の所在地を示す建物の情報を管理するためのデータベースである。建物管理データベース６３０を図８に示す。”ラベル”欄には、建物を特定する情報として建物の名称が記載される。”遷移先系統図”欄には、その建物に敷設されている光ケーブルに関する情報が記載される系統図の識別情報が記載される。
【００２９】
ＣＴＦ／ＩＤＦ管理データベース６４０は、局やお客様の建物内に設置されるＣＴＦ／ＩＤＦを管理するためのデータベースである。ＣＴＦ／ＩＤＦは、光ケーブル網において各光ケーブルを取り込む中継設備の一つである。ＣＴＦ／ＩＤＦ管理データベース６４０を図９に示す。”ＣＴＦ／ＩＤＦ名称”欄には、ＣＴＦ／ＩＤＦを特定する情報が記載される。”接続情報（ケーブル名称）”欄には、各ＣＴＦ／ＩＤＦに取り込まれる光ケーブルを特定する情報が記載される。また”接続情報（区間名称）”欄には、当該光ケーブルの両端部が取り込まれる中継設備を特定する情報が記載される。
【００３０】
ケーブル管理データベース６５０は、光ケーブル網を構成する各光ケーブルを管理するためのデータベースである。ケーブル管理データベース６５０を図１０に示す。”ケーブル名称”欄には、各光ケーブルを特定する情報が記載される。また”ケーブル区間名称”欄には、当該光ケーブルの両端部が取り込まれる中継設備をそれぞれ特定する情報が記載される。”テープ種別”欄には、光ケーブル内の各心線束内の心線数が記載される。テープ種別欄に「２」と記載されている場合には、各心線束には２本の心線が含まれることを示す。”ケーブル総心線数”欄には、光ケーブル内の心線の数が記載される。”ケーブル実長”欄には、光ケーブルの長さを示す情報が記載される。
【００３１】
心線管理データベース６６０は、各光ケーブル内の各心線を管理するためのデータベースである。心線管理データベース６６０を図１１に示す。”ケーブル名称”欄には、各心線を含む光ケーブルを特定する情報が記載される。”ケーブル区間名称”欄には、各光ケーブルの両端部が取り込まれる中継設備を特定する情報が記載される。”心線番号”欄には、各心線を特定する情報が記載される。”テープ番号”欄には、各心線束を特定する情報が記載される。”空き状態”欄には、各心線への回線の割当状況を示す情報が記載される。「使用中」と記載されている場合には、当該心線には回線が割当済みであることを示す。「空き」と記載されている場合には、当該心線には回線が設定済みでないことを示す。”心線状態”欄には、各心線の異常有無が記載される。「不良」と記載されている場合には、その心線は光通信を行うことができない状況であることを示す。”心線所有者”欄には、各心線の所有者を特定する情報が記載される。”運用状況”欄には、”空き状態”欄が「使用中」の各心線の運用状況が記載される。運用状況には「運用」と「確保」と「予約」とがある。「運用」と記載されている場合は、当該心線は運用中であることを示す。「確保」と記載されている場合には、当該心線は確保済みであることを示す。「予約」と記載されている場合は、当該心線は設定予約済みであることを示す。
【００３２】
心線接続属性管理データベース６７０は、中継設備毎に、中継設備を特定する情報と、中継設備に取り込まれる光ケーブルの本数を示す情報と、中継設備に取り込まれる各光ケーブルの各心線を特定する情報と、上記各心線とそれぞれ接続される相手方の各心線を特定する情報と、を対応付けて記憶するデータベースである。心線接続属性管理データベース６７０を図１２に示す。”設備名称”欄には、クロージャやＣＴＦ／ＩＤＦの名称等の中継設備を特定する情報が記載される。”左側ケーブル区間名称”欄に記載される光ケーブルと、”右側ケーブル区間名称”欄に記載される光ケーブルとは、それぞれ中継設備に取り込まれ、互いの心線同士が接続されている光ケーブルであることを示す。そして、”左側ケーブル区間名称”欄、及び”右側ケーブル区間名称”欄に記載される光ケーブルの合計が、当該中継設備に取り込まれる光ケーブルの本数を表す。なお、他の光心線と接続されない光心線の場合または管理しない光ケーブル等と接続されている場合には、”接続・終端”欄には、「終端」と記載される。また”方式”欄には、光ケーブルの心線同士を接続する際の接続方法が記載される。接続方法としては、「融着」、「コネクタ接続」、「通過」、「カプラ接続」等がある。”ロス値”欄には、光の減衰量を示す情報が記載される。光の減衰量は、心線同士の接続方法に応じて定まる。図１２に示す例では、「融着」の場合は０．４（ｄＢ）、「通過」の場合は０（ｄＢ）である。
【００３３】
系統図管理データベース６８０は、光ケーブル網を構成する光ケーブル及び中継設備の接続関係を所定地域毎に示す各系統図に関する情報を記憶するデータベースである。系統図管理データベース６８０を図１３に示す。”系統図名称”欄には、各系統図の名称が各系統図を特定する情報として記載される。また”系統図番号”欄には、各系統図の識別番号が各系統図を特定する情報として記載される。”リンク系統図”欄には、互いの中継設備同士が光ケーブルで接続（リンク）される他の地域の系統図を特定する情報が記載される。”リンク元設備”欄には、他の地域の中継設備と光ケーブルで接続される当該地域の中継設備を特定する情報が記載される。”リンク先設備”欄には、上記リンク元の中継設備と光ケーブルで接続されるリンク先の中継設備を特定する情報が記載される。”リンク光ケーブル”欄には、上記リンク元の中継設備とリンク先の中継設備とを接続する光ケーブルを特定する情報が記載される。
【００３４】
回線管理データベース６９０は、光ケーブルの心線に設定される回線を管理するためのデータベースである。回線管理データベース６９０を図１４に示す。図１４には、回線番号１で特定される回線が、４本の光ケーブルを跨って、クロージャ１からクロージャ５の間に設定されていることが示される。回線１が設定される各光ケーブルの心線は、”心線番号”欄に記載される心線番号により特定される。
【００３５】
図２に戻って、入力装置２５０は光ケーブル心線管理サーバ２００へのデータ入力等のために用いられる装置でありユーザインタフェースとして機能する。入力装置２５０としては例えばキーボードやマウス等を用いることができる。  
出力装置２６０は情報を外部に出力するための装置でありユーザインタフェースとして機能する。出力装置２６０としては例えばディスプレイやプリンタ等を用いることができる。
【００３６】
ポート２３０は通信を行うための装置である。例えばネットワーク５００を介して行われる、利用者端末１００等の他のコンピュータとの通信は、ポート２３０を介して行われるようにすることができる。また例えば、光ケーブル心線管理サーバ制御プログラム７１０をポート２３０を通じて他のコンピュータからネットワーク５００を介して受信して、メモリ２２０や記憶装置２８０に記憶するようにすることもできる。
【００３７】
＜利用者端末＞
利用者端末１００は、ＣＰＵ１１０、メモリ１２０、ポート１３０、記録媒体読取装置１４０、入力装置１５０、出力装置１６０、記憶装置１８０を備える。  
これらの各装置の機能は、上述した光ケーブル心線管理サーバ２００が備える各装置と同様である。  
また、利用者端末１００の記憶装置１８０には、図４に示すように、利用者端末制御プログラム７００が記憶され、ＣＰＵ１１０によって実行されることにより、利用者端末１００としての各種機能が実現される。例えば利用者端末制御プログラム７００は、光ケーブル心線管理サーバ２００との通信を制御し、ブラウザ機能を実現する。
【００３８】
＝＝＝中継設備の割り入れ処理＝＝＝
次に、光ケーブル網を構成する光ケーブルに中継設備、つまりクロージャ、ドロップクロージャ又はＣＴＦ／ＩＤＦを割り入れる際に、本実施の形態に係る光ケーブル心線管理サーバ２００により実行される処理について、図１５乃至図２４を参照しながら説明する。図２６は、中継設備を割り入れる処理の流れを示すフローチャートである。
【００３９】
まず、光ケーブルに中継設備を割り入れる様子を図１５に示す。図１５においては、クロージャ１とクロージャ２との間を接続する光ケーブルＡに、クロージャ３を割り入れる様子が示される。光ケーブルＡにクロージャ３を割り入れることにより、光ケーブルＡは、光ケーブルＡ１（特許請求の範囲に記載の第１の光ケーブルに相当する）と光ケーブルＡ２（特許請求の範囲に記載の第２の光ケーブルに相当する）とに分割される。
【００４０】
なお、割り入れる中継設備の運用状況は「運用」のみ選択可能とする。また分割後の光ケーブルＡ1及び光ケーブルＡ２は、分割前の光ケーブルＡの長さの１／２（端数がある場合には片方を＋１メートル）となり、それ以外の属性情報は全て分割前の光ケーブルＡの属性情報を引き継ぐ。また、分割前の光ケーブルＡに付帯情報が存在する場合には、分割後の光ケーブルＡ１及び光ケーブルＡ２の両方に付帯情報が複写される。また、光ケーブルＡ１及び光ケーブルＡ２の心線属性、心線接続属性、重畳する回線属性は、全て光ケーブルＡの各属性情報を引き継ぐ。また割り入れた中継設備内の心線接続の接続方式は全て「通過」とする。
【００４１】
次に、光ケーブルに中継設備を割り入れる際の処理手順について説明する。まず図１６に示すように、系統図を表示する画面において、マウスのカーソルを光ケーブルを示す線画図形に重ねてクリックする。これにより、光ケーブル心線管理サーバ２００に光ケーブルを指定する情報が入力される（S1000）。そして、ポップアップウィンドウに表示される項目の中から、「ケーブルの分割（設備割り入れ）」を選び、さらに「クロージャ」あるいは「ＣＴＦ／ＩＤＦ」を選ぶ。これにより、上記指定された光ケーブルへの新たな中継設備の割り入れ要求が光ケーブル心線管理サーバ２００に入力される。ここでは、一例としてクロージャを割り入れるものとする。なお系統図とは、光ケーブル網を構成する光ケーブル及び中継設備の接続関係を所定地域毎に示す図を言う。
【００４２】
そうすると光ケーブル心線管理サーバ２００は、図１７に示すように、割り入れるクロージャの属性を示す画面を表示する。ここで割り入れるクロージャに関する各種属性を入力し「登録」欄をクリックすると（S1010）、上記入力した属性を持ったクロージャが指定した光ケーブルに割り入れられる。そして光ケーブル心線管理サーバ２００は、図１８に示すように、新たなクロージャが光ケーブルに割り入れられた系統図を表示する。
【００４３】
ここで、光ケーブル心線管理サーバ２００は、光ケーブルに新たな中継設備を割り入れる際に、各種データベースを更新する（S1020）。光ケーブルにクロージャを割り入れる場合に更新されるデータベース、及び光ケーブルにクロージャを割り入れることにより各データベースがどのように更新されるかを図１９乃至図２２を参照しながら説明する。なお、図１９乃至図２２には、各データベースの各項目のうち、新たなクロージャを割り入れることにより更新される項目のみが示されている。
【００４４】
まず、光ケーブル心線管理サーバ２００は、図１９に示すように、クロージャ管理データベース６００を更新する。クロージャ管理データベース６００には、更新前には、クロージャ１には、クロージャ１とクロージャ２とを接続する光ケーブルＡが対応付けて記憶され、クロージャ２には、クロージャ１とクロージャ２とを接続する光ケーブルＡが対応付けて記憶されているが、光ケーブルＡにクロージャ３を割り入れることにより、クロージャ１には、クロージャ１とクロージャ３とを接続する光ケーブルＡ１が対応付けて記憶され、クロージャ２には、クロージャ３とクロージャ２とを接続する光ケーブルＡ２が対応付けて記憶され、クロージャ３には、クロージャ１とクロージャ３とを接続する光ケーブルＡ１、及びクロージャ３とクロージャ２とを接続する光ケーブルＡ２が対応付けて記憶される。このように本実施の形態によれば、光ケーブルＡにクロージャ３を割り入れる場合に、光ケーブル心線管理サーバ２００によってクロージャ管理データベース６００が自動的に更新されるため、光ケーブル網の管理負担を軽減することができると共に、誤設定をなくし、光ケーブル網の管理を正確に行うことが可能となる。
【００４５】
また光ケーブル心線管理サーバ２００は、図２０に示すように、ケーブル管理データベース６５０を更新する。ケーブル管理データベース６５０には、更新前は、光ケーブルＡの名称と、光ケーブルＡの一方の端部が取り込まれるクロージャ１の名称と、光ケーブルＡの他方の端部が取り込まれるクロージャ２の名称と、が対応付けて記憶されているが、更新後は、光ケーブルＡ１について、光ケーブルＡ１の名称と、光ケーブルＡの一方の端部が取り込まれていたクロージャ１の名称と、クロージャ３の名称と、が対応付けて記憶されると共に、光ケーブルＡ２については、光ケーブルＡ２の名称と、光ケーブルＡの他方の端部が取り込まれていたクロージャ２の名称と、クロージャ３の名称と、が対応付けて記憶されている。また、光ケーブルＡ１及び光ケーブルＡ２のそれぞれの長さについて、分割前の光ケーブルＡの長さの１／２が設定されている。このように本実施の形態によれば、光ケーブルＡにクロージャ３を割り入れる場合に、光ケーブル心線管理サーバ２００によってケーブル管理データベース６５０が自動的に更新されるため、光ケーブル網の管理負担を軽減することができると共に、誤設定をなくし、光ケーブル網の管理を正確に行うことが可能となる。さらに、クロージャを割り入れた光ケーブルの長さが自動的に１／２に更新されるため、光ケーブル長の管理も正確に行うことが可能となる。
【００４６】
また光ケーブル心線管理サーバ２００は、図２１に示すように、心線管理データベース６６０を更新する。心線管理データベース６６０には、更新前は、光ケーブルＡの名称と、光ケーブルＡの一方の端部が取り込まれるクロージャ１の名称と、光ケーブルＡの他方の端部が取り込まれるクロージャ２の名称と、光ケーブルＡの各心線の識別番号と、各心線の空き状態と、が対応付けて記憶されているが、更新後は、光ケーブルＡ１について、光ケーブルＡ１の名称と、光ケーブルＡ１の一方の端部が取り込まれるクロージャ１の名称と、光ケーブルＡ１の他方の端部が取り込まれるクロージャ３の名称と、光ケーブルＡ１の各心線の識別番号と、各心線の空き状態と、が対応付けて記憶され、光ケーブルＡ２について、光ケーブルＡ２の名称と、光ケーブルＡ２の一方の端部が取り込まれるクロージャ３の名称と、光ケーブルＡ２の他方の端部が取り込まれるクロージャ２の名称と、光ケーブルＡ２の各心線の識別番号と、各心線の空き状態と、が対応付けて記憶される。
【００４７】
また光ケーブル心線管理サーバ２００は、図２２に示すように、心線接続属性管理データベース６７０を更新する。心線接続属性管理データベース６７０には、更新前は、クロージャ１の名称と、クロージャ１に取り込まれる光ケーブルＡの名称と、光ケーブルＡの各心線の識別番号と、各心線の終端・接続状況と、接続方式を示す情報と、が対応付けて記憶され、クロージャ２の名称と、クロージャ２に取り込まれる光ケーブルＡの名称と、光ケーブルＡの各心線の識別番号と、各心線の終端・接続状況と、接続方式を示す情報と、が対応付けて記憶されているが、更新後は、クロージャ１の名称と、クロージャ１に取り込まれる光ケーブルＡ１の名称と、光ケーブルＡ１の各心線の識別番号と、各心線の終端・接続状況と、接続方式を示す情報と、が対応付けて記憶され、クロージャ２の名称と、クロージャ２に取り込まれる光ケーブルＡ２の名称と、光ケーブルＡ２の各心線の識別番号と、各心線の終端・接続状況と、接続方式を示す情報と、が対応付けて記憶され、新たに割り入れられたクロージャ３については、クロージャ３の名称と、クロージャ３に取り込まれる光ケーブルＡ１及びＡ２の各名称と、光ケーブルＡ１の各心線の識別番号と、光ケーブルＡ１の各心線とそれぞれ接続される相手方の光ケーブルＡ２の各心線の識別番号と、各心線の終端・接続状況と、接続方式を示す情報と、が対応付けて記憶される。またクロージャ３における光ケーブルＡ１と光ケーブルＡ２との間の各心線の接続方式は、全て「通過」となる。このように本実施の形態によれば、光ケーブルＡにクロージャ３を割り入れる場合に、光ケーブル心線管理サーバ２００によって心線接続属性管理データベース６７０が自動的に更新されるため、光ケーブル網の心線管理の負担を軽減することができると共に、誤設定をなくし、光ケーブル網の心線の管理を正確に行うことが可能となる。特に、光ケーブル内の心線の数は数千本にもなることがあるため、各心線の設定が自動的に一括して実行できることは、作業負担の大きな軽減となる。
【００４８】
ところで、系統図は、光ケーブル網を構成する光ケーブル及び中継設備の接続関係を所定地域毎に示したものであるため、系統図の対象地域の境界を越えて敷設される光ケーブルがある。その様子を図２３に示す。図２３において、クロージャ１とクロージャ１１とは互いに光ケーブルで接続されているが、クロージャ１は系統図１の対象地域内に設けられ、クロージャ１１は系統図１１の対象地域内に設けられている。本実施の形態にかかる光ケーブル心線管理サーバ２００は、系統図１においてはクロージャ１１を表すリンク系シンボルａがクロージャ１と接続される様に表示し、系統図１１においてはクロージャ１を表すリンク系シンボルｂがクロージャ１１と接続されるように表示する。これにより、各系統図において当該系統図の対象地域の境界を越えて敷設される光ケーブルを表示するようにしている。
【００４９】
そのため、図１６において中継設備を割り入れる光ケーブルを指定する際に、その光ケーブルが、系統図の対象地域の境界を越えて敷設される光ケーブルである場合がある。例えば図２４に示すように、系統図１において、クロージャ１とクロージャ１１を表すリンク系シンボルとの間にクロージャ２を割り入れる場合がある。この場合には光ケーブル心線管理サーバ２００は、クロージャ１１が設けられる地域の系統図である系統図１１において、クロージャ１を表すリンク系シンボルを、クロージャ２を表すリンク系シンボルに更新する。
【００５０】
またその際、光ケーブル心線管理サーバ２００は、図１３に示した系統図管理データベースを図２５に示すように更新する。すなわち、光ケーブル心線管理サーバ２００は、系統図１（系統図名称欄に記載）の対象地域の境界を越えて敷設される光ケーブルである光ケーブルＡの名称（リンク光ケーブル欄に記載）を、光ケーブルＡを分割してなる光ケーブルＡ１の名称に書き換えると共に、上記光ケーブルＡ１の一方の端部が取り込まれる系統図１の対象地域内の中継設備を特定する情報（リンク元設備欄に記載）を、クロージャ１からクロージャ２に書き換え、系統図１１（系統図名称欄に記載）の対象地域の境界を越えて敷設される光ケーブルである光ケーブルＡの名称（リンク光ケーブル欄に記載）を、光ケーブルＡ１の名称に書き換えると共に、光ケーブルＡ１の上記他方の端部が取り込まれる系統図１１の対象地域外の中継設備を特定する情報（リンク先設備欄に記載）を、クロージャ１からクロージャ２に書き換える。
【００５１】
このようにすることにより、系統図を跨る光ケーブルに中継設備を割り入れる場合にも、管理情報が自動的に更新されるため、光ケーブルの管理負担を軽減することが可能となる。
【００５２】
＝＝＝ケーブル引き直し処理＝＝＝
次に、光ケーブル網を構成する光ケーブルから中継設備、つまりクロージャ、ドロップクロージャ又はＣＴＦ／ＩＤＦを削除し、光ケーブルを引き直す際に、本実施の形態に係る光ケーブル心線管理サーバ２００により実行されるケーブル引き直し処理について、図２７乃至図２９を参照しながら説明する。図２９は、ケーブル引き直し処理の流れを示すフローチャートである。
【００５３】
まず、図２７に示すように、系統図を表示する画面において、マウスのカーソルを削除する中継設備を示す図形に重ねてクリックする。これにより、光ケーブル心線管理サーバ２００に中継設備を指定する情報が入力される（S2000）。ここでは、クロージャを削除して光ケーブルを引き直す場合について説明する。そして、ポップアップウィンドウに表示される項目の中から、「引き直し」を選ぶ。これにより、上記指定されたクロージャの削除要求が光ケーブル心線管理サーバ２００に入力される。
【００５４】
そうすると光ケーブル心線管理サーバ２００は、指定された中継設備を削除できるか否かの判定を行う（S2010）。具体的には、指定された中継設備に取り込まれる光ケーブルの数が２本であり、かつ、それらの光ケーブルに含まれる全ての心線が１対１に接続されている場合にのみ、指定された中継設備を削除することができると判定する。またこの判定は、削除する中継設備がクロージャかドロップクロージャかＣＴＦ／ＩＤＦであり、削除する中継設備に接続している光ケーブルが２条しかなく、その２条のケーブルの「ケーブル区間名称」「ケーブル実長」「付帯情報」以外の属性が全て一致し、削除する中継設備内で、互いの光ケーブルの同じ心線番号同士が接続方式「通過」で接続されており、互いの光ケーブルの同じ心線番号に重畳する回線属性がすべて一致する場合にのみ、指定された中継設備を削除することができると判定するようにしても良い。このように判定条件を厳格にすることにより、中継設備の削除をより慎重に行わしめるようにすることができる。
【００５５】
光ケーブル心線管理サーバ２００は、指定された中継設備を削除することができると判定した場合には、ケーブル管理データベース６５０に、上記指定された中継設備に取り込まれる２本の光ケーブルの端部同士を接続してなる光ケーブルを特定する情報と、上記２本の光ケーブルの各両端部が取り込まれる３つの中継設備のうち、指定された中継設備ではない２つの中継設備をそれぞれ特定する情報と、を対応付けて記憶する（S2020、S2030）。具体的には、図２０において示した矢印の向きとは逆の向きにケーブル管理データベース６５０の更新を行う。すなわち、上記指定されたクロージャ３に取り込まれる２本の光ケーブルである光ケーブルＡ１及び光ケーブルＡ２の端部同士を接続してなる光ケーブルＡの名称と、上記光ケーブルＡ１及び光ケーブルＡ２の各両端部が取り込まれる３つの中継設備であるクロージャ１、クロージャ２、クロージャ３のうち、指定された中継設備であるクロージャ３ではない２つの中継設備つまりクロージャ１及びクロージャ２の各名称と、を対応付けて記憶するようにする。  
そして光ケーブル心線管理サーバ２００は、図２８に示すように、指定したクロージャを消去して系統図を表示する。
【００５６】
このようにすることにより、光ケーブルに割り入れた中継設備をキャンセルし、分割された光ケーブルを分割前の状態に戻す（光ケーブルを引き直す）ことができる。これにより、光ケーブル網の維持管理作業の負担を軽減することが可能となる。
【００５７】
以上、本実施の形態について説明したが、本実施の形態によれば、光ケーブル網の維持管理を迅速かつ正確に行い、作業負担を軽減することが可能となる。
【００５８】
なお上記実施の形態は本発明の理解を容易にするためのものであり、本発明を限定して解釈するためのものではない。本発明はその趣旨を逸脱することなく変更、改良され得ると共に、本発明にはその等価物も含まれる。
【図面の簡単な説明】
【００５９】
【図１】本実施の形態に係る光ケーブル心線管理システムの全体構成を示す図である。
【図２】本実施の形態に係る光ケーブル心線管理サーバ、利用者端末の構成を示す図である。
【図３】本実施の形態に係る光ケーブル心線管理サーバの記憶装置の構成を示す図である。
【図４】本実施の形態に係る利用者端末の記憶装置の構成を示す図である。
【図５】本実施の形態に係るクロージャ管理データベースを示す図である。
【図６】本実施の形態に係る局管理データベースを示す図である。
【図７】本実施の形態に係るお客様管理データベースを示す図である。
【図８】本実施の形態に係る建物管理データベースを示す図である。
【図９】本実施の形態に係るＣＴＦ／ＩＤＦ管理データベースを示す図である。
【図１０】本実施の形態に係るケーブル管理データベースを示す図である。
【図１１】本実施の形態に係る心線管理データベースを示す図である。
【図１２】本実施の形態に係る心線接続属性管理データベースを示す図である。
【図１３】本実施の形態に係る系統図管理データベースを示す図である。
【図１４】本実施の形態に係る回線管理データベースを示す図である。
【図１５】本実施の形態に係る中継設備の割り入れ処理の概要を示す図である。
【図１６】本実施の形態に係る中継設備を割り入れる光ケーブルを指定する様子を示す図である。
【図１７】本実施の形態に係る割り入れる中継設備の属性を入力する画面を示す図である。
【図１８】本実施の形態に係る中継設備が割り入れられた状態の系統図を示す図である。
【図１９】本実施の形態に係るクロージャ管理データベースが更新される様子を示す図である。
【図２０】本実施の形態に係るケーブル管理データベースが更新される様子を示す図である。
【図２１】本実施の形態に係る心線管理データベースが更新される様子を示す図である。
【図２２】本実施の形態に係る心線接続属性管理データベースが更新される様子を示す図である。
【図２３】本実施の形態に係る２つの系統図を跨る光ケーブルを示す図である。
【図２４】本実施の形態に係る２つの系統図を跨る光ケーブルに中継設備を割り入れる様子を示す図である。
【図２５】本実施の形態に係る系統図管理データベースを示す図である。
【図２６】本実施の形態に係る中継設備の割り入れ処理の流れを示すフローチャートである。
【図２７】本実施の形態においてケーブルを引き直す際に削除する中継設備を指定する様子を示す図である。
【図２８】本実施の形態において中継設備が削除された様子を示す図である。
【図２９】本実施の形態に係るケーブル引き直し処理の流れを示すフローチャートである。
【符号の説明】
【００６０】
１００  利用者端末
２００  光ケーブル心線管理サーバ
４００  記録媒体
５００  ネットワーク
６００  クロージャ管理データベース
６１０  局管理データベース
６２０  お客様管理データベース
６３０  建物管理データベース
６４０  ＣＴＦ／ＩＤＦ管理データベース
６５０  ケーブル管理データベース
６６０  心線管理データベース
６７０  心線接続属性管理データベース
６８０  系統図管理データベース
６９０  回線管理データベース
７００  利用者端末制御プログラム
７１０  光ケーブル心線管理サーバ制御プログラム
９００  光ケーブル心線管理システム
【図１】
0004399415.tif 000002
【図２】
0004399415.tif 000003
【図３】
0004399415.tif 000004
【図４】
0004399415.tif 000005
【図５】
0004399415.tif 000006
【図６】
0004399415.tif 000007
【図７】
0004399415.tif 000008
【図８】
0004399415.tif 000009
【図９】
0004399415.tif 000010
【図１０】
0004399415.tif 000011
【図１１】
0004399415.tif 000012
【図１２】
0004399415.tif 000013
【図１３】
0004399415.tif 000014
【図１４】
0004399415.tif 000015
【図１５】
0004399415.tif 000016
【図１９】
0004399415.tif 000017
【図２０】
0004399415.tif 000018
【図２１】
0004399415.tif 000019
【図２２】
0004399415.tif 000020
【図２３】
0004399415.tif 000021
【図２４】
0004399415.tif 000022
【図２５】
0004399415.tif 000023
【図２６】
0004399415.tif 000024
【図２９】
0004399415.tif 000025
【図１６】
0004399415.tif 000026
【図１７】
0004399415.tif 000027
【図１８】
0004399415.tif 000028
【図２７】
0004399415.tif 000029
【図２８】
0004399415.tif 000030